(57)【要約】【課題】  リモコンおよびリモコン操作を可能な限り少なくする。【解決手段】  給湯用水を貯留する貯湯タンク（２０）と、給湯用水の加熱手段であるヒートポンプサイクル（１１）と、貯湯タンクの給湯用水を風呂（４０）に供給する供給手段（４４）と、風呂の排出口（４２）を開閉する排出口開閉手段（４３）と、風呂が配置される浴室（４９）を乾燥および暖房する浴室乾燥手段（４５）と、供給手段と排出口開閉手段と浴室乾燥手段とを操作する操作手段（５１）と、操作手段（５１）により供給手段と排出口開閉手段と浴室乾燥手段とのうちの一つが操作された時に、供給手段と排出口開閉手段と浴室乾燥手段とのうちの一つと、供給手段と排出口開閉手段と浴室乾燥手段の残りの二つのうちの少なくとも一つとを連動して制御する制御手段（２８）とを具備するヒートポンプ式温水器が提供される。【選択図】      図１
2006170561.tif 000002
【特許請求の範囲】
【請求項１】
給湯用水を貯留する貯湯タンク（２０）と、
給湯用水の加熱手段であるヒートポンプサイクル（１１）と、
前記貯湯タンク（２０）の給湯用水を風呂（４０）に供給する供給手段（４４）と、
前記風呂（４０）の排出口（４２）を開閉する排出口開閉手段（４３）と、
前記風呂（４０）が配置される浴室（４９）を乾燥および暖房する浴室乾燥手段（４５）と、
前記供給手段（４４）と前記排出口開閉手段（４３）と前記浴室乾燥手段（４５）とを操作する操作手段（５１）と、
前記操作手段（５１）により前記供給手段（４４）と前記排出口開閉手段（４３）と前記浴室乾燥手段（４５）とのうちの一つが操作された時に、前記供給手段（４４）と前記排出口開閉手段（４３）と前記浴室乾燥手段（４５）とのうちの前記一つと、前記供給手段（４４）と前記排出口開閉手段（４４）と前記浴室乾燥手段（４５）の残りの二つのうちの少なくとも一つとを連動して制御する制御手段（２８）とを具備するヒートポンプ式温水器。
【請求項２】
前記供給手段（４４）によって前記貯湯タンク（２０）の給湯用水が前記風呂（４０）に供給されるように前記操作手段（５１）が操作された場合には、前記制御手段（２８）は、前記供給手段（４４）により給湯用水を前記風呂（４０）に供給すると共に前記排出口（４２）が閉鎖されるように前記排出口開閉手段（４３）を駆動するようにした請求項１に記載のヒートポンプ式温水器。
【請求項３】
前記排出口開閉手段（４３）によって前記排出口（４２）が開放されるように前記操作手段（５１）が操作された場合には、前記制御手段（２８）は、前記排出口（４２）を開放するように前記排出口開閉手段（４３）を駆動すると共に前記浴室乾燥手段（４５）を駆動して前記浴室（４９）を乾燥するようにした請求項１または２に記載のヒートポンプ式温水器。
【請求項４】
さらに、前記排出口（４２）が開放されることにより前記風呂（４０）から排出される給湯用水を洗濯機（５５）に供給するようにした請求項３に記載のヒートポンプ式温水器。
【請求項５】
さらに、前記浴室（４９）の温度を検出する温度検出手段（５６）を具備し、
前記供給手段（４４）によって給湯用水が前記風呂（４０）に供給されるように前記操作手段（５１）が操作された場合に前記温度検出手段（５６）により検出される前記浴室（４９）の温度が所定の値よりも小さいときには、前記制御手段（２８）は前記浴室乾燥手段（４５）を駆動して前記浴室（４９）を暖房するようにした請求項１から４のいずれか一項に記載のヒートポンプ式温水器。
【請求項６】
前記ヒートポンプサイクル（１１）は、循環通路（１４）に設けられた圧縮機（１５）と、水熱交換器（１７）と、膨張弁（１６）と、空気熱交換器（１３）とを含んでいる請求項１から５のいずれか一項に記載のヒートポンプ式温水器。
【発明の詳細な説明】
【技術分野】
【０００１】
本発明は、ヒートポンプ式温水器、特にヒートポンプサイクルを備えたヒートポンプ式温水器に関する。
【背景技術】
【０００２】
従来より、水の加熱手段としてヒートポンプサイクルを使用するヒートポンプ式温水器が公知である。このような温水器は、ヒートポンプサイクルの圧縮機で加圧された高温冷媒との熱交換によって水を加熱し、その加熱された温水をタンク内に貯留しておき、使用時にタンク内から温水を取り出して温度調節した後、使用者に供給するようにしている。
【０００３】
このようなヒートポンプ式温水器は家庭内の種々の住設機器で使用できる。例えば特許文献１には、風呂の湯張り装置および風呂からの排水装置に連動したヒートポンプ式温水器が開示されている。
【特許文献１】特開２０００−１１０２１９号公報（第１図）
【発明の開示】
【発明が解決しようとする課題】
【０００４】
しかしながら、ヒートポンプ式温水器に連動した住設機器が増えると、機器毎にリモコンを設置する必要があるので、室内の壁に余裕が無い家庭ではこれら複数のリモコンを施工するのが困難となる。
【０００５】
また、機器毎に設置されたリモコンの操作および他の機器に関連するリモコンの操作タイミングは使用者自身が行う必要がある。特に使用者が高齢者である場合には、これら操作および操作タイミングを修得するのが難しく、有用な機能が無駄になることも少なくない。このため、リモコンおよびリモコン操作を可能な限り少なくすることが望まれている。
【０００６】
本発明はこのような事情に鑑みてなされたものであり、リモコンおよびリモコン操作を可能な限り少なくするようにしたヒートポンプ式温水器を提供することを目的とする。
【課題を解決するための手段】
【０００７】
前述した目的を達成するために１番目に記載の発明によれば、給湯用水を貯留する貯湯タンクと、給湯用水の加熱手段であるヒートポンプサイクルと、前記貯湯タンクの給湯用水を風呂に供給する供給手段と、前記風呂の排出口を開閉する排出口開閉手段と、前記風呂が配置される浴室を乾燥および暖房する浴室乾燥手段と、前記供給手段と前記排出口開閉手段と前記浴室乾燥手段とを操作する操作手段と、前記操作手段により前記供給手段と前記排出口開閉手段と前記浴室乾燥手段とのうちの一つが操作された時に、前記供給手段と前記排出口開閉手段と前記浴室乾燥手段とのうちの前記一つと、前記供給手段と前記排出口開閉手段と前記浴室乾燥手段の残りの二つのうちの少なくとも一つとを連動して制御する制御手段とを具備するヒートポンプ式温水器が提供される。
【０００８】
すなわち１番目の発明においては、供給手段と排出口開閉手段と浴室乾燥手段とのうちの一つが操作されると残りの手段が連動して制御されるので、使用者が修得すべき操作手段、つまりリモコンならびに操作および操作タイミングを最小限にすることができる。従って、使用者が高齢者であっても比較的容易にヒートポンプ式温水器を使用できる。また操作手段、つまりリモコンの数が少なくて足りるので室内の壁に余裕が無い家庭であっても操作手段の施工を行うことができる。
【０００９】
２番目の発明によれば、１番目の発明において、前記供給手段によって前記貯湯タンクの給湯用水が前記風呂に供給されるように前記操作手段が操作された場合には、前記供給手段により給湯用水を前記風呂に供給すると共に前記排出口が閉鎖されるように前記排出口開閉手段を駆動するようにした。
すなわち２番目の発明においては、給湯用水が風呂に供給されるように操作手段が操作された場合には排出口も自動的に閉鎖されるので、使用者が排出口を閉鎖し忘れるという事態が起こるのを避けられる。
【００１０】
３番目の発明によれば、１番目または２番目の発明において、前記排出口開閉手段によって前記排出口が開放されるように前記操作手段が操作された場合には、前記制御手段は、前記排出口を開放するように前記排出口開閉手段を駆動すると共に前記浴室乾燥手段を駆動して前記浴室を乾燥するようにした。
すなわち３番目の発明においては、排出口開閉手段によって排出口が開放されるように操作手段が操作された場合には自動的に浴室が乾燥されるので、使用者が浴室から出た後で浴室を乾燥する手間を排除することができる。
【００１１】
４番目の発明によれば、３番目の発明において、さらに、前記排出口が開放されることにより前記風呂から排出される給湯用水を洗濯機に供給するようにした。
すなわち４番目の発明においては、風呂の給湯用水を洗濯機で有効利用することができる。また風呂の給湯用水を洗濯機に供給することは自動的に行われるので、使用者自身が風呂水を洗濯機まで移動させる手間も排除することができる。
【００１２】
５番目の発明によれば、１番目から４番目のいずれかの発明において、さらに、前記浴室の温度を検出する温度検出手段を具備し、前記供給手段によって給湯用水が前記風呂に供給されるように前記操作手段が操作された場合に前記温度検出手段により検出される前記浴室の温度が所定の値よりも小さいときには、前記制御手段は前記浴室乾燥手段を駆動して前記浴室を暖房するようにした。
すなわち５番目の発明においては、温度検出手段により検出される温度が所定の値よりも小さいときには、自動的に浴室が暖房されるので、使用者が浴室を暖房する手間を排除することができる。このことは、使用者が風呂をすぐには使用しない場合、または使用者が風呂を使用した後で他の使用者がその残り湯を使用する場合などでは、使用者が浴室に入る前に予め浴室を暖房する必要が無いため、特に有利である。
【００１３】
６番目の発明によれば、１番目から５番目のいずれかの発明において、前記ヒートポンプサイクルは、循環通路に設けられた圧縮機と、水熱交換器と、膨張弁と、空気熱交換器とを含んでいる。
すなわち６番目の発明においては、いわゆる超臨界ヒートポンプサイクルによって高温の給湯用水を効率的に得ることができる。
【発明を実施するための最良の形態】
【００１４】
以下、添付図面を参照して本発明の実施形態を説明する。以下の図面において同一の部材には同一の参照符号が付けられている。理解を容易にするために、これら図面は縮尺を適宜変更している。
図１は本発明に基づくヒートポンプ式温水器の略図である。図１に示されるように、ヒートポンプ式温水器１０は水を加熱するのに使用される超臨界ヒートポンプサイクル１１、つまりヒートポンプユニットと、超臨界ヒートポンプサイクル１１により加熱された湯を貯湯する貯湯タンク２０とを含んでいる。タンクユニット２９に含まれる貯湯タンク２０は耐蝕性に優れた金属（例えばステンレス）から形成されていて断熱構造を有し、高温の給湯用水を長時間にわたって保温することができる。
【００１５】
図１においては、水源（図示しない）からの常温の水を貯湯タンク２０に供給する取入通路３３が貯湯タンク２０の底部に接続されている。また、図示されるように、供給通路３１がヒートポンプサイクル１１と貯湯タンク２０の頂部とを接続し、供給通路３２が貯湯タンク２０の底部とヒートポンプサイクル１１とを接続している。
【００１６】
さらに、貯湯タンク２０内の給湯用水を循環する循環通路３６が貯湯タンク２０の頂部と貯湯タンク２０の底部とを接続しており、貯湯タンク２０の頂部側の給湯用水が循環通路３６を通って貯湯タンク２０の底部側に戻される。図示されるように循環通路３６には熱交換器２７、一次側ポンプ２３および中温水戻し弁としての三方弁２２が順番に設けられている。
【００１７】
さらに図示されるように、浴室４９内に設けられた浴室乾燥機４５および二次側ポンプ２４が配置された別の循環通路４６も熱交換器２７に接続されている。この循環通路４６内には、通常は水が媒体として封入されている。熱交換器２７においては循環通路４６の流れと循環通路３６の流れとが互いに反対方向になっている。
【００１８】
また浴室４９に配置された風呂４０の排出口４２には排出口４２を開閉する自動排水栓４３が設けられている。さらに、風呂４０の排出口４２から延びる供給通路４７が三方弁２６およびポンプ２５を介して洗濯機５５まで延びている。また、図示されるように、三方弁２６には別の排出通路４８が設けられている。
【００１９】
さらに、貯湯タンク２０の頂部と熱交換器２７との間において循環通路３６から分岐する分岐通路３５が浴室４９の風呂４０の供給口４１まで延びている。この供給口４１には、供給口４１を開閉する供給栓４４が設けられている。また、取入通路３３から分岐する分岐通路３４が分岐通路３５に設けられた風呂調節弁としての三方弁２１まで延びている。さらに、供給通路３７が循環通路３６の三方弁２２から貯湯タンク２０の中間位置より下方の部分まで延びている。
【００２０】
さらに、ヒートポンプサイクル１１から延びる電線５９がタンクユニット２９におけるタンクＥＣＵ（Ｅｌｅｃｔｒｏｎｉｃ  ｃｏｎｔｒｏｌ  ｕｎｉｔ）２８、台所用リモコン５２、浴室用リモコン５１に接続されている。タンクＥＣＵ２８は、双方向性バスによって互いに接続されたＲＯＭ（リードオンリメモリ）、ＲＡＭ（ランダムアクセスメモリ）、ＣＰＵ（マイクロプロセッサ）、入力ポートおよび出力ポートを具備するものとし、ヒートポンプ式温水器１０の動作を制御する役目を果たす。台所用リモコン５２は図示しない台所において貯湯タンク２０内の給湯用水を使用するときなどに操作される。
【００２１】
さらに、風呂４０の排水栓４３、供給栓４４および供給通路４７に設けられたポンプ２５は電線５９によって浴室用リモコン５１およびタンクＥＣＵ２８に接続されている。なお、図示しないものの、一次側ポンプ２３、二次側ポンプ２４、三方弁２１、２２、２６および浴室４９に設けられた温度計５６も同様に電線５９によってタンクＥＣＵ２８に接続されているものとする。また、ヒートポンプ式温水器１０が床暖房または室内空調のために床暖房装置および室内空調装置（図示しない）に適宜接続されていてもよい。
【００２２】
浴室用リモコン５１は複数の操作ボタン６１を含んでいる。これら操作ボタン６１は、風呂４０に給湯用水を供給して湯張りを開始する開始ボタン、風呂４０の給湯用水を保温する保温ボタン、排出口４２を開放する開放ボタン、排出口４２を閉鎖する閉鎖ボタン等を含んでいる。また、浴室乾燥機４５は浴室４９内を暖める暖房モードおよび浴室４９内を乾燥する乾燥モードのいずれかで運転され、浴室用リモコン５１の操作ボタン６１には、浴室乾燥機４５を暖房モードで運転する暖房ボタン、および浴室乾燥機４５を乾燥モードで運転する乾燥ボタンも含まれている。使用者が操作ボタン６１を操作することにより、当該操作ボタン６１に対応した動作がタンクＥＣＵ２８を通じて自動的に行われる。
【００２３】
なお、台所用リモコン５２も同様な機能に対応した複数の操作ボタン６２を備えていて、台所のシンクで貯湯タンク２０内の給湯用水を使用するときなどに主として操作されるが、本願明細書においては台所用リモコン５２の具体的な操作内容については言及しない。また、この台所用リモコン５２が存在しない場合であっても、本発明の範囲に含まれるものとする。
【００２４】
図２は図１に示されるヒートポンプ式温水器うちのヒートポンプサイクルを拡大して示す部分拡大図である。図２に示されるヒートポンプサイクル１１内には、圧縮機１５、水熱交換器１７、膨張弁１６、空気熱交換器１３、およびこれら部材を接続する循環通路１４が配置されている。循環通路１４内には、臨界圧力が比較的低い二酸化炭素が冷媒として封入されている。また、空気熱交換器１３には外気ファン１２が設置されている。
【００２５】
さらに、図１および図２から分かるように、供給通路３２がヒートポンプサイクル１１の水熱交換器１７まで延びており、また供給通路３１が水熱交換器１７から延びている。これら供給通路３１、３２の流れ方向と循環通路１４の流れ方向とは水熱交換器１７において互いに反対方向になっている。
【００２６】
ヒートポンプ式温水器１０の動作時には、ヒートポンプサイクル１１の外気ファン１２が回転し、それにより、外気からの熱が空気熱交換器１３内の二酸化炭素に取り込まれるようになる。次いで、二酸化炭素は圧縮機１５において圧縮されて高温になる。高温になった二酸化炭素は水熱交換器１７において供給通路３２からの水を加熱する。次いで、二酸化炭素は膨張弁１６において膨張し、その温度が低下した状態で空気熱交換器１３に再び供給される。一方、水熱交換器１７において加熱された水は供給通路３１を通って貯湯タンク２０に供給され、給湯用水として貯湯される。
【００２７】
図３は本発明に基づくヒートポンプ式温水器の制御動作プログラムを説明するためのフローチャートである。図３に示されるプログラム１００はタンクＥＣＵ２８のＲＯＭまたはＲＡＭに予め記憶されており、ヒートポンプサイクル１１が駆動状態にあるときには、繰り返し実施されているものとする。
【００２８】
図３に示されるプログラム１００のステップ１０１においては、風呂４０を自動的に「湯張り開始」する指示が出されたか否か、つまり浴室用リモコン５１における操作ボタン６１のうち、風呂４０の湯張りを開始する開始ボタンが操作されたか否かが判定される。開始ボタンが操作されたと判定された場合には、ステップ１０２に進んで、排出口４２を閉鎖する。次いで、ステップ１０３において、風呂４０の湯張りを開始する。一方、ステップ１０１において「湯張り開始」指示が出されていなかった場合にはステップ１０４に進む。
【００２９】
風呂４０を湯張りする場合には、貯湯タンク２０内の給湯用水が分岐通路３５を流れるように三方弁２１が設定される。次いで、供給栓４４により開放された供給口４１を通じて給湯用水が風呂４０内に供給される。風呂４０の設定温度は使用者によって別途定められており、この設定温度が貯湯タンク２０の給湯用水の温度よりも低い場合には、三方弁２１によって分岐通路３４内の常温の水が分岐通路３５内に適宜混入される。所定量の給湯用水が風呂４０内に供給されると、三方弁２１は分岐通路３４、３５を閉鎖するよう設定され、風呂４０への給湯用水の供給が停止される。そして供給栓４４により供給口４１が閉鎖されて、風呂４０の湯張りが完了する。湯張りが完了すると、使用者に湯張りの完了を知らせる所定のアラームが発令される。
【００３０】
従来では風呂４０の湯張り前に使用者が排出口４２を閉鎖する閉鎖ボタンを別途操作する必要があったのに対し、本発明においては使用者が湯張り開始ボタンを操作することにより、排出口４２が自動的に閉鎖されると共に湯張りが開始されるようにしている。すなわち本発明においては、風呂４０の湯張りを行うのに使用される三方弁２１、分岐通路３４、３５と排水栓４３とを連動して制御しているので、使用者が排出口４２を閉鎖するのを忘れるという事態が起こるのを回避できる。
【００３１】
ところで、風呂４０の湯張りが完了した後であっても使用者が風呂をすぐには使用しない場合、または使用者が風呂４０を使用した後で他の使用者がその残り湯を使用する場合等には、操作ボタン６１のうちの保温ボタンを操作することによって風呂４０が「保温」状態とされる。ステップ１０４においては、風呂４０がこのような「保温」状態にあるか否かが判定される。風呂４０が「保温」状態にあると判定された場合には、ステップ１０５に進む。
【００３２】
ステップ１０５においては、浴室４９の温度が低いか否かが判定される。具体的には、浴室４９に設けられた温度計５６により浴室４９の温度Ｔを検出し、検出された温度が予め定められた温度Ｔ０よりも低いか否かが判定される。温度Ｔ０は浴室４９内外の温度差などに応じて定まる値であり、タンクＥＣＵ２８において自動的に算出されるものとする。温度Ｔが所定の温度Ｔ０よりも低い場合にはステップ１０６に進んで、浴室乾燥機４５を暖房モードで運転する。一方、ステップ１０４において風呂４０が「保温」状態ではないと判定された場合、およびステップ１０５において浴室４９の温度が低くないと判定された場合にはステップ１０７に進む。
【００３３】
浴室乾燥機４５が暖房モードで運転されるときには、給湯用水が循環通路３６を循環するように三方弁２２が設定されると共に一次側ポンプ２３が駆動される。これと同時に、二次側ポンプ２４も駆動され、循環通路４６内の水も循環するようになる。これにより、循環通路３６の給湯用水の熱が熱交換器２７において循環通路４６の媒体に伝達される。循環通路４６の媒体に伝達された熱は浴室乾燥機４５を通じて浴室４９内に伝達され、それにより、浴室４９内が温度Ｔ０に対応した所定の温度で暖房されるようになる。
【００３４】
前述したようにプログラム１００は繰り返し実施されているので、風呂４０の湯張り完了後に使用者が風呂をすぐには使用しない場合、または使用者が風呂４０を使用した後で他の使用者がその残り湯を使用する場合などであっても、浴室４９内は所定の温度に維持される。従って、使用者が浴室４９に入る前に、浴室乾燥機４５を暖房モードで運転させる暖房ボタンを操作する必要はない。すなわち、本発明においては暖房モードにおける浴室乾燥機４５と、風呂４０を保温する保温ボタンとが関連づけられているので、使用者が浴室４９に入る前に浴室４９を予め暖房する手間を排除することができる。
【００３５】
次いで、ステップ１０７に進み、自動排水栓４３の「開」指示が出されたか否か、つまり浴室用リモコン５１における操作ボタン６１のうち、排出口４２を開放する開放ボタンが操作されたか否かが判定される。使用者が浴室４９の風呂４０を使用し終えたために開放ボタンが操作されたと判定された場合には、ステップ１０８に進んで、排出口４２を開放する。これにより、風呂４０内の湯は排出口４２を通って排出される。次いで、ステップ１０９に進んで、浴室乾燥機４５を乾燥モードで運転させる。一方、ステップ１０７において自動排水栓４３の「開」指示が出されていないと判定された場合には処理を終了する。
【００３６】
浴室乾燥機４５が乾燥モードで運転されるときには、前述した暖房モードの場合と同様に、給湯用水が循環通路３６を循環するように三方弁２２が設定されると共に一次側ポンプ２３が駆動される。これと同時に、二次側ポンプ２４も駆動され、循環通路４６内の水も循環するようになる。これにより、循環通路３６の給湯用水の熱が熱交換器２７において循環通路４６の媒体に伝達される。循環通路４６の媒体に伝達された熱は浴室乾燥機４５を通じて浴室４９内に伝達され、それにより、浴室４９内が乾燥されるようになる。ただし、浴室乾燥機４５が乾燥モードで運転される場合には、二次側ポンプ２４の羽根車の回転数を暖房モード時の回転数よりも高くされている。その結果、暖房モード時よりは少ないものの浴室４９を乾燥させるのに十分な量の熱が浴室乾燥機４５から浴室４９内に放射されるようになる。
【００３７】
使用者が風呂４０を使用した後は浴室４９内に水蒸気が充満しているので、浴室乾燥機４５を乾燥モードで使用することにより、このような水蒸気が排除される。また、浴室乾燥機４５の乾燥作用によって、浴室４９内に予め設置された鏡のくもりが解消される。なお、浴室乾燥機４５を暖房モードで運転する場合にも同様に鏡のくもりが解消されるのは明らかである。浴室乾燥機４５は乾燥モードにおいて所定時間にわたって運転して自動的に停止する。
【００３８】
従来では風呂４０の給湯用水を排出した後で使用者が浴室乾燥機４５を乾燥モードで運転する乾燥ボタンを別途操作する必要があったのに対し、本発明においては使用者が排出口４２の開放ボタンを操作することにより、排出口４２が開放されると共に浴室乾燥機４５が乾燥モードで自動的に運転されるようにしている。すなわち本発明においては、乾燥モードにおける浴室乾燥機４５と排水栓４３とを連動して制御しているので、使用者が浴室から出た後で浴室を乾燥する手間を排除することができる。
【００３９】
なお、浴室乾燥機４５が乾燥モードおよび暖房モードで運転されるときには、熱交換器２７を通過して温度が低下した給湯用水が中温水として供給通路３７を流れるように三方弁２２を設定するようにしてもよい。さらに、風呂４０の給湯用水を排出するときには、風呂４０の湯が供給通路４７を通って洗濯機５５に供給されるように三方弁２６およびポンプ２５を設定することもできる。風呂４０の給湯用水を洗濯機５５において使用することにより節水効果を得ることができる。このように本発明においては、給湯用水の洗濯機５５への供給を自動的に行うことができるので、使用者自身が風呂４０の給湯用水を洗濯機５５まで移動させる手間を排除できる。洗濯機５５に所定量の給湯用水が供給された場合には、風呂４０の給湯用水が排出通路４８にのみ流れるように三方弁２６を設定してポンプ２５を停止し、風呂４０内の残りの給湯用水の全てが排出通路４８から排出される。
【００４０】
このように本発明においては、タンクＥＣＵ２８によって風呂４０の湯張り作用と排水栓による閉鎖作用、風呂４０の保温作用と浴室乾燥機４５の暖房作用、および排出口４２の開放作用と浴室乾燥機４５の乾燥作用とがそれぞれ連動して制御されるので、使用者が修得すべき浴室用リモコン５１の操作および操作タイミングを最小限にすることができる。従って、使用者が高齢者であっても本発明のヒートポンプ式温水器１０を比較的容易に使用ですることができる。
【００４１】
また、本発明においては単一の浴室用リモコン５１によって風呂４０の湯張りおよび保温、排出口４２の開放および閉鎖ならびに浴室乾燥機４５の各モードでの運転を操作することができる。すなわち本発明においては、湯張りのためのリモコン、排水栓４３のためのリモコンおよび浴室乾燥機４５のためのリモコンを個別に設置する必要がないので、室内の壁に余裕が無い家庭であっても操作手段の施工を行うことができる。
【００４２】
また、図面には示さないものの、浴室乾燥機４５が例えば乾燥モードで運転するように浴室用リモコン５１を操作した場合に、浴室乾燥機４５を乾燥モードで運転させると共に排出口４２が開放するように排水栓４３を自動的に連動させてもよい。同様に、風呂４０への給湯用水の供給作用、排水栓４３の開閉作用、浴室乾燥機４５の乾燥作用および暖房作用のいずれかが浴室用リモコン５１により操作された場合に、残りの作用を連動して制御することは本発明の範囲に含まれる。
また、風呂４０の湯張り作用と排水栓による閉鎖作用、風呂４０の保温作用と浴室乾燥機４５の暖房作用、および排出口４２の開放作用と浴室乾燥機４５の乾燥作用とをそれぞれ連動させないようにした切替手段（図示しない）を浴室用リモコン５１に設けるようにしてもよい。このような切替手段を操作した場合には、例えば風呂４０の保温作用と浴室乾燥機４５の暖房作用とは連動せず、使用者が保温ボタンと暖房ボタンの両方を操作することが必要とされる。なお、当然のことながら、前述した態様のいくつかを適宜組み合わせることは本発明の範囲に含まれる。
【図面の簡単な説明】
【００４３】
【図１】本発明に基づくヒートポンプ式温水器の略図である。
【図２】図１に示されるヒートポンプ式温水器うちのヒートポンプサイクルを拡大して示す部分拡大図である。
【図３】本発明に基づくヒートポンプ式温水器の制御動作を説明するためのフローチャートである。
【符号の説明】
【００４４】
１０    ヒートポンプ式温水器
１１    ヒートポンプサイクル
１２    外気ファン
１３    空気熱交換器
１４    循環通路
１５    圧縮機
１６    膨張弁
１７    水熱交換器
２０    貯湯タンク
２３    一次側ポンプ
２４    二次側ポンプ
２５    ポンプ
２７    熱交換器
２８    タンクＥＣＵ（制御手段）
２９    タンクユニット
４０    風呂
４１    供給口
４２    排出口
４３    排水栓（排出口開閉手段）
４４    供給栓（供給手段）
４５    浴室乾燥機（浴室乾燥手段）
４９    浴室
５１    浴室用リモコン（操作手段）
５２    台所用リモコン
５５    洗濯機
５６    温度計
５９    電線
６１    操作ボタン
６２    操作ボタン
【図１】
2006170561.tif 000003
【図２】
2006170561.tif 000004
【図３】
2006170561.tif 000005